【手続補正書】
【提出日】平成25年9月17日(2013.9.17)
【手続補正１】
【補正対象書類名】明細書
【補正対象項目名】０００６
【補正方法】変更
【補正の内容】
【０００６】
上記目的を達成するため、本発明の一態様の情報処理装置は、実空間内の任意の領域を任意のタイミングで指定する指定手段と、前記実空間内に存在するオブジェクトに関する情報を取得する取得手段と、前記実空間内に存在する複数のオブジェクトのうち、前記指定手段により指定されたタイミングで前記指定手段により指定された領域内に存在するオブジェクトを検出する検出手段と、前記取得手段により取得可能な複数の情報のうち、前記検出手段により検出されたオブジェクトに対応する情報を選択して表示する選択表示手段と、を備えることを特徴とする。
【手続補正２】
【補正対象書類名】特許請求の範囲
【補正対象項目名】全文
【補正方法】変更
【補正の内容】
【特許請求の範囲】
【請求項１】
実空間内の任意の領域を任意のタイミングで指定する指定手段と、
前記実空間内に存在するオブジェクトに関する情報を取得する取得手段と、
前記実空間内に存在する複数のオブジェクトのうち、前記指定手段により指定されたタイミングで前記指定手段により指定された領域内に存在するオブジェクトを検出する検出手段と、
前記取得手段により取得可能な複数の情報のうち、前記検出手段により検出されたオブジェクトに対応する情報を選択して表示する選択表示手段と、
を備えることを特徴とする情報処理装置。
【請求項２】
前記指定手段は、各タイミングにおいて、前記実空間内の領域を変化させながら順次指定を行い、
前記取得手段は、前記各タイミングにおいて前記指定手段により指定される領域の外に存在するオブジェクトを含めて前記実空間内に存在する複数のオブジェクトに関する情報を取得可能であり、
前記選択表示手段は、前記各タイミングにおいて前記取得手段により取得可能な複数の情報のうち、前記検出手段により検出されたオブジェクトに対応する情報を選択して表示することを特徴とする請求項１に記載の情報処理装置。
【請求項３】
前記取得手段は、前記複数のオブジェクトの各々に装着されたセンサから、前記指定手段により指定される領域の外に存在するオブジェクトを含めて、前記実空間内に存在する複数のオブジェクトに関する情報を同時に取得可能であり、
前記選択表示手段は、前記複数のセンサから同時に取得可能な複数の情報のうち、前記検出手段により検出されたオブジェクトに装着されたセンサから取得される情報を選択して表示することを特徴とする請求項２に記載の情報処理装置。
【請求項４】
前記オブジェクトは人物であり、
前記取得手段は、前記実空間内に存在する複数の人物の各々に装着されたセンサから各人物の内的状態に関する情報を取得可能であり、
前記検出手段は、前記実空間内に存在する複数の人物のうち、前記指定手段により指定されたタイミングで前記指定手段により指定された領域内に存在する人物を検出することを特徴とする請求項３に記載の情報処理装置。
【請求項５】
前記実空間内の任意の領域を任意のタイミングで撮像する撮像手段を更に備え、
前記指定手段は、前記撮像手段により撮像が行われるタイミングで前記撮像手段の撮影方向に対応する実空間内の領域を指定することを特徴とする請求項２に記載の情報処理装置。
【請求項６】
前記撮像手段により撮像される画像データを表示する表示手段を更に備え、
前記選択表示手段は、前記選択した情報を、前記撮像手段により撮像される画像データと合成して前記表示手段に表示することを特徴とする請求項５に記載の情報処理装置。
【請求項７】
前記撮像手段は、撮影方向を変化させながら、この撮影方向に対応する撮影領域を逐次撮像し、
前記表示手段は、前記撮像手段により逐次撮像される画像データを逐次表示し、
前記検出手段は、前記撮像手段の撮影方向に対応する実空間内の所定領域に存在するオブジェクトを逐次検出し、
前記選択表示手段は、前記検出手段により逐次検出されるオブジェクトに関する情報を、前記撮像手段により逐次撮像される画像データと合成して前記表示手段に逐次表示することを特徴とする請求項６に記載の情報処理装置。
【請求項８】
前記検出手段は、前記撮像手段により撮像される画像データ内における各オブジェクトの画像上の特徴に基づいて、前記撮像手段の撮影画角内に存在するオブジェクトを検出することを特徴とする請求項５に記載の情報処理装置。
【請求項９】
前記複数のオブジェクトの各々の位置情報を取得する位置情報取得手段と、を備え、
前記検出手段は、前記撮像手段により画像データを撮像した際の撮影位置及び撮影方向に基づいて特定される前記実空間内の所定の領域内に、前記位置情報取得手段により取得される各オブジェクトの位置が含まれているか否かによって、前記撮像手段の撮影方向に対応する実空間内の指定領域に存在するオブジェクトを検出することを特徴とする請求項５に記載の情報処理装置。
【請求項１０】
前記選択表示手段は、前記取得手段が取得した複数の情報のうち、前記検出手段により検出されたオブジェクトに対応する情報を選択して前記表示手段に表示するか、あるいは、前記実空間内に存在する複数のオブジェクトに関する情報のうち、前記検出手段により検出されたオブジェクトに対応する情報を前記取得手段に選択的に取得させ、この取得手段が取得した情報を前記表示手段に表示することを特徴とする請求項６に記載の情報処理装置。
【請求項１１】
前記取得手段は、各々のオブジェクトに装着されたセンサから、各オブジェクトの内的状態または外的状態を表すコンテクストに関するコンテクスト情報を取得可能であることを特徴とする請求項３に記載の情報処理装置。
【請求項１２】
前記取得手段は、各々の人物に装着されたセンサから、各人物の体調（身体状態）または情動（気分や心理状態）を含む内的状態を表すコンテクストに関するコンテクスト情報を取得可能であることを特徴とする請求項４に記載の情報処理装置。
【請求項１３】
前記人物の内的状態を表すコンテクストは、人物の脈拍、呼吸数、発汗、瞳孔の開き、疲労度、運動量のうちの少なくとも１つを含むことを特徴とする請求項１２に記載の情報処理装置。
【請求項１４】
前記取得手段により取得された情報に基づいて、前記オブジェクトの状態を判定する状態判定手段と、
前記状態判定手段による前記オブジェクトの状態の判定結果を報知する報知手段と、を備えることを特徴とする請求項２に記載の情報処理装置。
【請求項１５】
前記状態判定手段は、前記検出手段により検出されたオブジェクト以外のオブジェクトの状態を判定し、
前記報知手段は、前記状態判定手段により前記オブジェクトの状態が所定の状態であると判定した場合には、前記選択表示手段による選択表示の有無に係わらず、該オブジェクトの状態に関する情報を表示することを特徴とする請求項１４に記載の情報処理装置。
【請求項１６】
前記報知手段は、前記状態判定手段により前記オブジェクトの状態が異常であると判定した場合には、警告を報知することを特徴とする請求項１５に記載の情報処理装置。
【請求項１７】
前記取得手段により取得された複数の情報を記憶する第１の記憶手段と、
ユーザが指示するタイミングで、前記取得手段により取得された情報を前記第１の記憶手段に追加して記憶させる制御を実行する第１の記憶制御手段と、
を備えることを特徴とする請求項２に記載の情報処理装置。
【請求項１８】
前記撮像手段により撮像される画像データを記憶する第２の記憶手段と、
ユーザが指示する撮影タイミングで、前記撮像手段により撮像される画像データと前記取得手段により取得される情報とを対応付けて前記第２の記憶手段に記憶させる制御を実行する第２の記憶制御手段と、
を備えること特徴とする請求項５に記載の情報処理装置。
【請求項１９】
実空間内の任意の領域を任意のタイミングで指定する指定ステップと、
前記実空間内に存在するオブジェクトに関する情報を取得する取得ステップと、
前記実空間内に存在する複数のオブジェクトのうち、前記指定ステップにより指定されたタイミングで前記指定ステップにより指定された領域内に存在するオブジェクトを検出する検出ステップと、
前記取得ステップにより取得可能な複数の情報のうち、前記検出ステップにより検出されたオブジェクトに対応する情報を選択して表示する選択表示ステップと、
を含むことを特徴とする情報処理方法。
【請求項２０】
コンピュータを、
実空間内の任意の領域を任意のタイミングで指定する指定手段、
前記実空間内に存在するオブジェクトに関する情報を取得する取得手段、
前記実空間内に存在する複数のオブジェクトのうち、前記指定手段により指定されたタイミングで前記指定手段により指定された領域内に存在するオブジェクトを検出する検出手段、
前記取得手段により取得可能な複数の情報のうち、前記検出手段により検出されたオブジェクトに対応する情報を選択して表示する選択表示手段、
として機能させることを特徴とするプログラム。
【請求項２１】
複数のオブジェクトの状態を検出してコンテクスト情報を生成する複数のセンサ機器と、
前記複数のオブジェクトのうち実空間内の所定の領域への進入したオブジェクトを検出するオブジェクト検出手段と、
前記複数のセンサ機器において生成された前記複数のコンテクスト情報を取得するコンテクスト情報取得手段と、
前記コンテクスト情報取得手段により取得可能な複数のコンテクスト情報のうち、前記オブジェクト検出手段により検出されたオブジェクトに対応するコンテクスト情報を選択して表示する選択表示手段と、
を有する情報処理装置と、
を備えることを特徴とする情報処理システム。